(57)【要約】【課題】ＰＣ板目地吊り金物を取付ける場合に、足場等を設ける必要なく、容易に吊下部を取付けることができ、垂下板と強固に確実に結合するようにする。【解決手段】ＰＣ板の目地に係止し下方に垂下する矩形状垂下板１０と、垂下板１０の下端近傍に設けた係止孔１４に係着する係着部材２０とから成り、係着部材２０は、吊下ボルトねじ込み用ナット２２を下端に備え上端に係止孔１４に挿入される左右片２３を備え、吊下ボルトをねじ上げたとき、ボルトの上端が左右片２３を押し拡げてその側面２５を係止孔１４の側面１５に圧着させる。【選択図】　　　　図１
2004108065.tif 000002
【特許請求の範囲】
【請求項１】
ＰＣ板の目地に係止し下方に垂下する矩形状垂下板と、該垂下板の下端近傍に設けた係止孔に係着する係着部材とから成り、該係着部材は、吊下ボルトねじ込み用ナットを下端に備え上端に前記係止孔に挿入される左右片を備え、前記吊下ボルトをねじ上げたとき、ボルトの上端が前記左右片を押し拡げて前記係止孔の側面に圧着させる機構を備えたことを特徴とするＰＣ板目地吊り金物。
【発明の詳細な説明】
【０００１】
【発明の属する技術分野】
本発明は、建築物のＰＣ板あるいはＡＬＣ床版等の目地から垂下して、天井部材や、配線・配管等のラック等を支持するＰＣ板目地吊り金物に関する。
【０００２】
【従来の技術】
マンション等の建築物では、ＰＣ部材で壁体やスラブを組み立てる乾式工法が多用されている。乾式工法では、壁体やスラブをＰＣ（プレキャストコンクリート）板、又はＡＬＣ（人工軽量コンクリート）床版等の工業製品コンクリートを用いて施工する技術である。このような技術では、高品質コンクリート製品を用い、現場打ちコンクリートは最小限とし、迅速施工ができ、信頼性が高いなどのメリットがある。特にスラブをプレキャスト化することは、通常の技術となっている。以下、このような乾式コンクリート構造のスラブをＰＣ板で代表させて説明する。このようなプレキャストＰＣ板スラブでは、天井やラック等を吊下する吊り金物を目地部に設ける。
【０００３】
天井野縁受け吊下げ装置用のハンガーを垂下板に設けた孔に挿入して固定する技術として、孔の形状を上下非対称形とし、この孔に挿入する吊具の突出片を孔の形状と上下逆の形状とし、この突出片を孔に挿入後、吊具の天地を転倒させて簡単に取付けることができるハンガーがある（例えば、特許文献１参照。）。このようなハンガーは、足場を組んでその上で作業をする必要があり、また、垂下板と吊具との固定の確実性の点で十分とはいえない。
【０００４】
【特許文献１】
特開平１１−３６５０７号公報（明細書２頁２欄３３〜４０行）
【０００５】
【発明が解決しようとする課題】
本発明は、建築物のＰＣ板あるいはＡＬＣ床版等の目地から垂下して、天井部材や、配線・配管等のラック等を支持するＰＣ板目地吊り金物において、足場等を設ける必要なく吊下部を取付けることができ、しかも、垂下板と強固に確実に結合することができるＰＣ板目地吊り金物を提供することを目的とする。
【０００６】
【課題を解決するための手段】
本発明は、上記課題を解決するためになされたもので、その技術手段は、ＰＣ板の目地に係止し下方に垂下する矩形状垂下板と、該垂下板の下端近傍に設けた係止孔に係着する係着部材とから成り、該係着部材は、吊下ボルトねじ込み用ナットを下端に備え上端に前記係止孔に挿入される左右片を備え、前記吊下ボルトをねじ上げたとき、ボルトの上端が前記左右片を押し拡げて前記係止孔の側面に圧着させる機構を備えたことを特徴とするＰＣ板目地吊り金物である。
【０００７】
本発明の垂下板は、ＰＣ板の目地部に取付けられる矩形板状の通常の鋼板であるが、係止孔の形状に特徴がある。さらに、この係止孔に係合する係着部材が最も特徴がある部材である。この係着部材は、吊下ボルトの上端に取付けられ、人手によって下方から容易に上記係止孔に係合させることができる。係合した後、吊下ボルトを下方で捻回することによって、垂下板と係着部材とを確実に強固に結合することができる構造となっている。
【０００８】
従って、取付けに当たって足場等を構築する必要がなく、多数の吊下ボルトを容易に施工することができる。
【０００９】
【発明の実施の形態】
以下図面を参照して本発明の実施の形態を説明する。
【００１０】
図１は本発明の実施例のＰＣ板目地吊り金物の説明図で垂下板１０と係着部材２０の斜視図である。ＰＣ板目地吊り金物は矩形状の垂下板１０と、この垂下板１０に係着固定する係着部材２０とからなっており、係着部材に吊下ボルトを固定するようになっている。
【００１１】
垂下板１０は、厚さ１．６〜２ｍｍ程度の鋼板で、幅２５〜３０ｍｍ程度、長さ１６０〜２００ｍｍ程度の矩形状板である。垂下板１０は、ＰＣ板１００の目地に係止し下方に垂下する部材で、上端近傍に垂下係止部１１及び取付孔１２を備えている。また長手方向に沿って２本の凸条１３が設けられている。この凸条１３は、垂下板をＰＣ板の目地内に打込んで取付ける際に、ＰＣ板の目地のコンクリート面と垂下板との摩擦を減少させるためのものである。
【００１２】
垂下板１０の下端近傍に係止孔１４が設けられている。この係止孔１４は、係着部材２０を取り付けるためのものである。その係止孔１４の形状は、例えば、図１に示すように、側壁１５，底辺１６及び上辺とからなる台形状をなす透孔である。さらに、この底辺１６に、半円弧状の切欠１７を設けて、ボルト締めの金具を取付けることも可能になっている。
【００１３】
係着部材２０は、厚さ１．６〜２ｍｍ程度の鋼板から型抜きして折り曲げ形成した板金製品であって、上端に前記係止孔１４に嵌入する左右片２３を備え、下端部に吊下ボルトを螺入するナット２２を備えた基板２１を備えている。左右片２３は、左右２枚の板を「ハ」の字状に上部を狭く下部を拡げた形状に対向させた、ほぼ水平に延びる２枚の板で、その先端部２４には係止孔１４に挿入する案内部を形成するように丸みを付してある。
【００１４】
基板２１と左右片２３とは、側板で連結され、ナット２２の中心線上に、左右片２３の「ハ」の字状の部分が対応している。左右片２３の下方に、三角爪２６が設けられており、この三角爪２６と左右片２３との間に隙間２７が設けられている。三角爪２６は、係着部材２０を垂下板１０に取付けるときに、隙間２７の奥へ垂下板の下端を誘導するように、三角形の先端が上向きになるように形成されている。また、左右に２枚が対向して形成されており、垂下板１０の下縁１８を２個所で支持するようになっている。
【００１５】
係着部材２０の隙間２７内に垂下板１０の下端縁１８を挿入して、垂下板１０の下端縁１８に三角爪２６が当るようにすると、左右片２３が丁度係止孔１４に挿入する位置に来るようになっている。左右片２３を係止孔１４に挿入させると、隙間２７の奥の面２８が垂下板１０の裏面と接触し、左右片２３は係止孔１４を通って垂下板の正面側に突出する。ねじ込み用ナット２２に螺合した吊下ボルト３１の上端が垂下板１０の正面側に位置し、左右片２３の下側に来る。この状態で吊下ボルトをナット２２を通って上方に推進させると、吊下ボルト３１は左右片２３の間に下方から挿入され、左右片２３を左右に押し開く。このとき、押し開かれた左右片２３の側面２５は係止孔１４の側壁１５に圧着される。従って、垂下板１０、係着部材２０及び吊下ボルトは一体となって強固に接続固定される。
【００１６】
図２はこの状態を説明する説明図で、左右片２３と吊下ボルト３１との関係を示した正面図である。左右片２３は下方が開いた「ハ」の字状に形成されており、吊下ボルト３１を矢印３２の方向に推進させると、ボルト３１の先端が左右片２３の背面３３に当接し、左右片２３を矢印３４に示すように押し拡げる。押し拡げられた左右片２３の側面２５は垂下板１０の係止孔１４の側壁１５に圧着され、両者が強固に固定される。
【００１７】
次に本発明の実施例の使用方法について図３〜図９を用いて説明する。
【００１８】
図３はＰＣ板１００の目地を形成する端面１０１に、垂下板１０の上部に設けられている釘孔１２に釘５１をハンマ５２で打ち込んで垂下板１０を取り付ける工程を示している。図４は垂下板１０を取り付けた後、隣接するＰＣ板１００ａを敷設した状態を示している。
【００１９】
図５は既に敷設してあるＰＣ板１００、１００ａの目地部に垂下板１０を取り付ける工程を示している。垂下板１０の頭部に補助治具５３を取付け、この補助治具５３の頭をハンマ５２で叩いて垂下板１０を目地内に打ち込む工程である。このとき、垂下板１０の表面に設けた２条の凸条１３が目地部のコンクリート面を滑り、摩擦抵抗が小さくなる。垂下板１０の頭部に設けられている係止突起１１が、目地部のコンクリートに係止して垂下板１０が目地部に支持される。図６は、係止を完了した後床版上に、仕上モルタル１１０を施工した状態を示している。
【００２０】
図７は、ＰＣ板１００、１００ａの目地部に取り付けられた垂下板１０に係着部材２０を取り付ける工程を示す説明図である。係着部材２０は吊下ボルト３１の先端に取り付けられており、吊下ボルト３１を人手で持って係止させることができ、格別の足場等を必要とすることなく、人手によって簡単に取り付けることができる。
【００２１】
図８はこの取付動作を説明する説明図である。係着部材２０を傾けて、その隙間２７内に垂下板１０の下端が入るように対向させ、垂下板１０と係着部材２０とを位置合わせする。ついで、係着部材２０を矢印４１で示すように上昇させる。隙間２７内に垂下板１０の下端縁１８が入ったら、吊下ボルト３１を矢印４２で示すように鉛直方向に引き戻す。このとき、三角爪２６が、垂下板１０の下端縁１８に接した状態で、丁度、係着部材２０の左右片２３が垂下板１０の係止孔１４に臨み、矢印４３で示すように、係止孔１４内に挿入される。
【００２２】
次いで、吊下ボルト３１をねじ上げると、吊下ボルト３１の先端が左右片２３を左右に押し開き、左右片２３の側面２５が係止孔１４内に圧着固定される。係着部材２０の隙間２７の背面２８は垂下板１０の背面と接しており、吊下ボルト３１は垂下板１０の正面側に固定されているので、垂下板１０と吊下ボルト３１は、係着部材２０を介して強固に接続される。
【００２３】
以上の係着部材２０及び吊下ボルト３１の垂下板１０への取付には、格別の足場等を必要とせず、極めて容易に作業を行うことができ、工事の円滑な施工に寄与するところが大である。
【００２４】
なお本発明の垂下板１０から吊環を吊下げることができる。図１に示すように垂下板１０の係止孔１４の底面には半円弧状の切欠１７が設けられており、図９に示すように、連結部６５に孔６４を備えた吊環６１をボルト６２を係止孔１４の切欠１７に支持させてナット６３で連結部６５を結合し吊下げる。
【００２５】
【発明の効果】
本発明によれば、建築物のＰＣ板等の目地から垂下して、天井部材や、配線・配管等のラック等を支持するＰＣ板目地吊り金物を取付ける場合に、足場等を設ける必要なくよういに吊下部を取付けることができ、しかも、垂下板と強固に確実に結合することができるようになった。
【図面の簡単な説明】
【図１】本発明の実施例の斜視図である。
【図２】実施例の作用説明図である。
【図３】取付工程の説明図である。
【図４】取付工程の説明図である。
【図５】取付工程の説明図である。
【図６】取付工程の説明図である。
【図７】取付工程の説明図である。
【図８】取付工程の説明図である。
【図９】別の取付具の説明図である。
【符号の説明】
１０　　垂下板
１１　　係止部
１２　　取付孔（釘孔）
１３　　凸条
１４　　係止孔
１５　　側壁
１６　　底辺
１７　　切欠
１８　　下端縁
２０　　係着部材
２１　　基板
２２　　ナット
２３　　左右片
２４　　先端部
２５　　側面
２６　　三角爪
２７　　隙間
２８　　奥の面
３１　　吊下ボルト
３２　　矢印
３３　　背面
３４　　矢印
４１　　矢印
４２　　矢印
４３　　矢印
５１　　釘
５２　　ハンマ
５３　　補助治具
６１　　吊環
６２　　ボルト
６３　　ナット
６４　　孔
６５　　連結部
１００、１００ａ　　ＰＣ板
１０１　　端面
１１０　　仕上モルタル
【図１】
2004108065.tif 000003
【図２】
2004108065.tif 000004
【図３】
2004108065.tif 000005
【図４】
2004108065.tif 000006
【図５】
2004108065.tif 000007
【図６】
2004108065.tif 000008
【図７】
2004108065.tif 000009
【図８】
2004108065.tif 000010
【図９】
2004108065.tif 000011